(57)【要約】      （修正有）【課題】幼児によって優先的に使用される折りたたみ椅子を提供する。【解決手段】本考案の折りたたみ椅子は、背もたれ部２と前方支柱部３として機能する第１フレーム１を備え、第１フレームは、後方支柱部として機能する第２フレーム４と座席として機能する座部９とに接続され、座部は、ピン継手接続様式で、連結部１２によって第２フレームに接続されている。【選択図】図１
0003114055.tif 000002
【実用新案登録請求の範囲】
【請求項１】
背もたれ部と前方支柱部として機能する第１フレームを備え、
該第１フレームは、後方支柱部として機能する第２フレームと座席として機能する座部とに接続され、
該座部は、ピン継手接続様式で、連結部によって該第２フレームに接続されていることを特徴とする折りたたみ椅子。
【請求項２】
前記第２フレームの横断部材の下表面に固定して備え付けられている第１構成材と、
前記座部の下表面に固定して備え付けられている第２構成材と、を備え、
該座部は、該横断部材上にて支持され、
該２つの構成材が、ピン継手接続様式で、前記連結部の両端部のそれぞれに接続されていることを特徴とする請求項１に記載の折りたたみ椅子。
【請求項３】
前記連結部は、長手方向に弓形の形状であり、該連結部の両端部が分岐していることを特徴とする請求項２に記載の折りたたみ椅子。
【考案の詳細な説明】
【技術分野】
【０００１】
本考案は、折りたたみ椅子に関するものであり、特に、幼児によって使用される折りたたみ椅子に関するものである。
【背景技術】
【０００２】
従来、幼児用の折りたたみ椅子として、さまざまな形式の折りたたみ椅子が存在する。これらの折りたたみ椅子は、一般的には簡単な構造を有している。例えば、背もたれ部と前方支柱部として機能する第１フレームによって構成され、当該第１フレームが、後方支柱部として機能する第２フレームと、座席として機能して第２フレーム上で支持される座部と、に接続される折りたたみ椅子が知られている。
【考案の開示】
【考案が解決しようとする課題】
【０００３】
しかしながら、上述したような形式の椅子は、上記第１フレーム、第２フレーム、および座部が互いに接続されているので、それらを折りたたんだときの各構成の配置が安定ではなく、互いに接続された部材がお互いの相対的な動作に影響しあってしまう。このため、上記椅子を移動させたり、片付けたりする際に、安定に折りたたむことができないという問題点を有している。
【０００４】
本考案の目的は、折りたたまれた状態の折りたたみ椅子が、その構成である２つのフレームと座部とを互いに並行した配置に保持できることによって、より容易に移動させることができ、かつ卸売業者の倉庫または使用者の家の中等において片付けることができる小型の折りたたみ椅子を提供することにある。
【課題を解決するための手段】
【０００５】
この折りたたみ椅子は、連結部を用いたピン継手接続様式（ｐｉｎ−ｊｏｉｎｔｅｄ  ｃｏｎｎｅｃｔｉｏｎ）によって、座部が、上記椅子の後方支柱部として機能する第２フレームに接続されていることを特徴としている。
【０００６】
このピン継手接続様式にて上記座部と第２フレームとを接続するために、第１構成材が、第２フレームの横断部材の下表面に固定して備え付けられるとともに、第２構成材が、座部の下表面に固定して備え付けられる。上記座部は、横断部材上にて支持され、連結部のそれぞれの端部は、ピン継手接続様式によって上述した構成材のそれぞれに接続されている。上記連結部は、長手方向にわずかに弓形の形状を有し、その端部が、二股に分岐している。
【０００７】
つまり、本考案の折りたたみ椅子は、上記課題を解決するために、背もたれ部と前方支柱部として機能する第１フレームを備え、該第１フレームは、後方支柱部として機能する第２フレームと座席として機能する座部とに接続され、該座部は、ピン継手接続様式で、連結部によって該第２フレームに接続されていることを特徴としている。
【０００８】
また、本考案の折りたたみ椅子は、前記第２フレームの横断部材の下表面に固定して備え付けられている第１構成材と、前記座部の下表面に固定して備え付けられている第２構成材と、を備え、該座部は、該横断部材上にて支持され、該２つの構成材が、ピン継手接続様式で、前記連結部の両端部のそれぞれに接続されていることが好ましい。
【０００９】
また、本考案の折りたたみ椅子は、前記連結部は、長手方向に弓形の形状であり、該連結部の両端部が分岐していることが好ましい。
【考案の効果】
【００１０】
本考案の折りたたみ椅子は、背もたれ部と前方支柱部として機能する第１フレームを備え、上記第１フレームは、後方支柱部として機能する第２フレームと座席として機能する座部とに接続され、上記座部は、ピン継手接続様式で、連結部によって第２フレームに接続されているので、容易に移動させることができ、しかも狭い空間中に片付けることができる。
【考案を実施するための最良の形態】
【００１１】
本考案の折りたたみ椅子の特徴は、後述する考案の詳細な説明によって明らかとなる。また、上記考案の詳細な説明の理解は、実際の実施形態を示す添付する図面によってより容易となる。なお、上記実施形態は、一実施例であって、本考案の適用範囲を制限するものではない。
【００１２】
図１に示すように、本考案の折りたたみ椅子は、上縁部が背もたれ部２として機能し、下縁部が前方支柱部３として機能する長方形の第１フレーム１と、上記椅子の後方支柱部８として機能し、ピン６を用いたピン継手接続様式によって、第１フレーム１の縁部の内、背もたれ部２および前方支柱部３ではない２つの縁部の後方面に備えられる各突起７に接続されている延長側部５を有する長方形の第２フレーム４と、椅子の座部として機能し、ピン１０を用いたピン継手接続様式によって第１フレーム１の側面にそって、第１フレーム１に接続されている四角形の座部９とを備えている。
【００１３】
図１，図２に示すように、上記椅子が椅子状態に開いた状態にある場合、座部９は、第２フレーム４の上部横断部材１１上にて支持される。
【００１４】
図４に示すように、上記椅子が折りたたまれた状態にある場合、座部９は、第１フレーム１の縁部によって囲まれた平面中にあり、第２フレーム４は、上記第１フレーム１上で第１フレーム１と並行に折りたたまれる。つまり、第２フレーム４は、第１フレームと重なるように折りたたまれる。
【００１５】
上記椅子を安定に折りたたまれた状態に保持するために、座部９は、連結部１２を用いたピン継手接続様式によって、第２フレーム４に接続される。このとき上記連結部１２は、長手方向に、わずかに弓形の形状を有し、その端部１３および端部１４は、二股に分岐している。上記端部１３と端部１４とは、ピン継手接続様式によって、ピン１５とピン１６とを用いて、それぞれ第１構成材１７と第２構成材１８とに接続される。上記第１構成材１７と第２構成材１８とは、それぞれ、横断部材１１の下表面と座部９の下表面とに固定して備え付けられている。
【００１６】
図３に示すように、この構造を有する上記椅子を折りたたむ場合、座部９を矢印Ｆ方向にピン１０を軸として回転させると、連結部１２によって、第２フレーム４は矢印Ｆ’方向へ引っ張られる。その結果、図４に示すように、上記椅子の座部９、第１フレーム１および第２フレーム４は、並行となり、安定した位置に折りたたまれる。
【００１７】
トレイ（ｔｒａｙ）もまた、この椅子に適合され得る。
【産業上の利用可能性】
【００１８】
本考案の折りたたみ椅子は、小さくかつ安定な状態に折りたたむことができるので、幼児によって用いられる折りたたみ椅子として使用される。
【図面の簡単な説明】
【００１９】
【図１】本考案の椅子の斜視図であって、ここに示される椅子は、折りたたまれていない状態であり、かつ下方から見たものである。
【図２】本考案の椅子が開いた状態にある場合の、３つの構成間のピン継手接続の詳細を示した側断面図である。
【図３】本考案の椅子が半ば開いた状態にある場合の、３つの構成間のピン継手接続の詳細を示した側断面図である。
【図４】本考案の椅子が折りたたまれた状態にある場合の、３つの構成間のピン継手接続の詳細を示した側断面図である。
【符号の説明】
【００２０】
１      第１フレーム
２      背もたれ部
３      前方支柱部
４      第２フレーム
８      後方支柱部
９      座部
１１    横断部材
１２    連結部
１３・１４    端部
１５・１６    ピン継手接続
１７    第１構成材
１８    第２構成材
【図１】
0003114055.tif 000003
【図２】
0003114055.tif 000004
【図３】
0003114055.tif 000005
【図４】
0003114055.tif 000006